(57)【要約】  【課題】  所望のリンク先にアクセスする場合におけるユーザの操作負担の軽減に寄与することのできる技術を提供する。  【解決手段】  所定のリンク先にアクセスするユーザを識別するための識別情報を取得する識別情報取得部と、前記識別情報取得部にて取得された識別情報に対応付けられている前記所定のリンク先に関するＵＲＬを取得するリンク情報取得部と、前記リンク情報取得部にて取得されたＵＲＬを、前記ユーザがアクセスする所定のリンク先に設定するリンク先設定部とを有する。  【選択図】  図１
2006293685.tif 000002
【特許請求の範囲】
【請求項１】
所定のリンク先にアクセスするユーザを識別するための識別情報を取得する識別情報取得部と、
前記識別情報取得部にて取得された識別情報に対応付けられている前記所定のリンク先に関するＵＲＬを取得するリンク情報取得部と、
前記リンク情報取得部にて取得されたＵＲＬを、前記ユーザがアクセスする所定のリンク先に設定するリンク先設定部と
を有するアクセス管理装置。
【請求項２】
請求項１に記載のアクセス管理装置において、
前記識別情報には、複数に区分された時間帯それぞれに応じて、前記所定のリンク先に関するＵＲＬが個別に対応付けられており、
前記リンク先設定部は、前記ユーザによる所定のリンク先へのアクセス時刻に基づいて、前記所定のリンク先に設定するＵＲＬを変更するアクセス管理装置。
【請求項３】
請求項１に記載のアクセス管理装置において、
前記リンク先設定部によるＵＲＬの設定に先立って、該ＵＲＬの設定の可否について前記ユーザに確認する設定確認部を有するアクセス管理装置。
【請求項４】
所定のリンク先にアクセスするユーザを識別するための識別情報を取得する識別情報取得ステップと、
前記識別情報取得ステップにて取得された識別情報に対応付けられている前記所定のリンク先に関するＵＲＬを取得するリンク情報取得ステップと、
前記リンク情報取得ステップにて取得されたＵＲＬを、前記ユーザがアクセスする所定のリンク先に設定するリンク先設定ステップと
をコンピュータに実行させるアクセス管理プログラム。
【請求項５】
請求項４に記載のアクセス管理プログラムにおいて、
前記識別情報には、複数に区分された時間帯それぞれに応じて、前記所定のリンク先に関するＵＲＬが個別に対応付けられており、
前記リンク先設定ステップは、前記ユーザによる所定のリンク先へのアクセス時刻に基づいて、前記所定のリンク先に設定するＵＲＬを変更するアクセス管理プログラム。
【発明の詳細な説明】
【技術分野】
【０００１】
本発明は、アクセス管理装置およびアクセス管理プログラムに関するものである。
【背景技術】
【０００２】
従来、ＰＣやＭＦＰ等のネットワーク端末をＬＡＮ等の電気通信回線で通信可能に接続し、サーバによってこれらネットワーク端末の管理を行う技術が知られる（例えば、特許文献１参照。）。
【０００３】
上述のように管理されるネットワーク端末において、ＷＥＢ操作画面上で問合せ先等のリンク先にアクセスする場合、ユーザはまず当該ＷＥＢ操作画面上の「問合せ先」ボタンを選択し、その後に表示される複数の問合せ先の一覧の中から所望の問合せ先を選択していた。
【特許文献１】特開平１１−３５３１４５号公報
【発明の開示】
【発明が解決しようとする課題】
【０００４】
しかしながら、上述のような複数の問合せ先の一覧の中から所望の問合せ先を選択する操作は煩雑であり、間違った問合せ先にアクセスしてしまう等の原因ともなり、ユーザにとって操作負担となっていた。
【０００５】
本発明は上述した問題点を解決するためになされたものであり、所望のリンク先にアクセスする場合におけるユーザの操作負担の軽減に寄与することのできる技術を提供することを目的とする。
【課題を解決するための手段】
【０００６】
上述した課題を解決するため、本発明に係るアクセス管理装置は、所定のリンク先にアクセスするユーザを識別するための識別情報を取得する識別情報取得部と、前記識別情報取得部にて取得された識別情報に対応付けられている前記所定のリンク先に関するＵＲＬを取得するリンク情報取得部と、前記リンク情報取得部にて取得されたＵＲＬを、前記ユーザがアクセスする所定のリンク先に設定するリンク先設定部とを有することを特徴とするものである。
【０００７】
また、本発明に係るアクセス管理プログラムは、所定のリンク先にアクセスするユーザを識別するための識別情報を取得する識別情報取得ステップと、前記識別情報取得ステップにて取得された識別情報に対応付けられている前記所定のリンク先に関するＵＲＬを取得するリンク情報取得ステップと、前記リンク情報取得ステップにて取得されたＵＲＬを、前記ユーザがアクセスする所定のリンク先に設定するリンク先設定ステップとをコンピュータに実行させることを特徴とするものである。
【発明の効果】
【０００８】
以上に詳述したように本発明によれば、所望のリンク先にアクセスする場合におけるユーザの操作負担の軽減に寄与することのできる技術を提供することができる。
【発明を実施するための最良の形態】
【０００９】
以下、本発明の実施の形態について図面を参照しつつ説明する。
【００１０】
図１は、本実施の形態によるアクセス管理装置について説明するためのシステム構成図である。
【００１１】
本実施の形態によるアクセス管理装置１は、ＬＡＮ等の電気通信回線を通じてＭＦＰ２０１やＰＣ２０２等のネットワーク端末と通信可能に接続されている。また、アクセス管理装置１は、このＬＡＮ内におけるローカルサーバとしての役割を有しており、アクセス管理装置１はインターネット等の電気通信回線を介してセンタサーバ３と通信可能に接続されている。このようにして、センタサーバ３は、インターネット等を介して複数のローカルネットワークにおけるローカルサーバ等と通信可能となっている。
【００１２】
また、ＭＦＰ２０１やＰＣ２０２等のネットワーク端末は、画面表示可能な不図示の表示部を有しており、当該表示部にて表示されるＷＥＢ操作画面（ブラウザ）上でインターネット上のホームページや、センタサーバ内のＷＥＢページにアクセス可能となっている。
【００１３】
図２は、本実施の形態によるアクセス管理装置について説明するための機能ブロック図である。
【００１４】
本実施の形態によるアクセス管理装置１は、識別情報取得部１０１、リンク情報取得部１０２、リンク先設定部１０３、設定確認部１０４、ＣＰＵ１０５およびメモリ１０６を備えてなる構成となっている。
【００１５】
識別情報取得部１０１は、ＭＦＰ２０１やＰＣ２０２等へのユーザの操作入力等の命令に基づいて、所定のリンク先にアクセスするユーザを識別するための識別情報を取得する役割を有している。
【００１６】
リンク情報取得部１０２は、識別情報取得部１０１にて取得された識別情報に対応付けられている所定のリンク先に関するＵＲＬを取得する役割を有している。
【００１７】
リンク先設定部１０３は、リンク情報取得部１０２にて取得されたＵＲＬを、ユーザがアクセスする所定のリンク先に設定する役割を有している。
【００１８】
設定確認部１０４は、リンク先設定部１０３によるＵＲＬの設定に先立って、該ＵＲＬの設定の可否についてユーザに確認する役割を有している。
【００１９】
ＣＰＵ１０５は、アクセス管理装置１における各種処理を行う役割を有しており、またメモリ１０６に格納されているプログラムを実行することにより種々の機能を実現する役割も有している。メモリ１０６は、例えばＲＯＭやＲＡＭ等から構成されており、アクセス管理装置１において利用される種々の情報やプログラムを格納する役割を有している。
【００２０】
図３は、本実施の形態によるアクセス管理装置における処理の流れについて説明するためのフローチャートである。
【００２１】
識別情報取得部１０１は、ＭＦＰ２０１やＰＣ２０２等における不図示の表示部に表示されるＷＥＢ操作画面８（図４参照）上における操作入力（例えば、「お問合せ」ボタン８０１のクリック）等により所定のリンク先（例えば、ユーザが問合せを行いたい販社やサービスセンタなどの問合せ先のホームページ等）にアクセスしようとするユーザを識別するための識別情報を取得する（識別情報取得ステップ）（Ｓ１０１）。ここでの識別情報としては、例えばＭＦＰ２０１、ＰＣ２０２およびアクセス管理装置１等へのログイン時に入力されるユーザＩＤや、個人認証のための認証情報等が挙げられる。このユーザの識別情報は、リンク情報取得部１０２にてＵＲＬの取得を行うタイミング（後述）までに、何らかのかたちで取得されていればよい。
【００２２】
リンク情報取得部１０２は、識別情報取得ステップにて取得された識別情報に対応付けられている所定のリンク先に関するＵＲＬを取得する（リンク情報取得ステップ）（Ｓ１０２）。
【００２３】
具体的に、メモリ１０６には、ユーザの識別情報であるＩＤ等と、当該ＩＤに対応して予め設定されたＵＲＬとが対応付けられたテーブルが格納されており（図５参照）、リンク情報取得部１０２は当該テーブルからＵＲＬを取得する。
【００２４】
続いて、リンク先設定部１０３は、リンク情報取得ステップにて取得されたＵＲＬを、ユーザがアクセスする所定のリンク先に設定し、ＭＦＰ２０１やＰＣ２０２等におけるＷＥＢ操作画面上に当該所定のリンク先のホームページ等を表示させる（リンク先設定ステップ）（Ｓ１０３）。なお、所定のリンク先のホームページ等の表示方法としては、図４に示したような「お問合せ」ボタン８０１を表示していたウィンドウ上に切替え表示してもよいし、新たにウィンドウを起動させて表示するようにしてもよく、結果として当該所定のリンク先のホームページ等が画面表示されればよい。
【００２５】
上述の処理の流れでは、ユーザ識別情報に対応付けられたＵＲＬが自動的に設定される構成としているが、これに限られるものではなく、設定確認部１０４にて、リンク先設定部によるＵＲＬの設定に先立って、ダイアログボックス等を表示させることによって、該ＵＲＬの設定の可否についてユーザに確認するようにしてもよい（設定確認ステップ）。
【００２６】
なお、ここでは図５に示したように、ユーザの識別情報としてのＩＤ「１１１１」には時間帯に拘わらず同じＵＲＬが設定されており、ＩＤ「２２２２」には、複数に区分された時間帯それぞれに応じて、所定のリンク先に関するＵＲＬが個別に対応付けられている。
【００２７】
このようなかたちでテーブルを構成することにより、リンク先設定部１０３は、ユーザによる所定のリンク先へのアクセス時刻（例えば、図４に示す「お問合せ」ボタン８０１をクリックした時刻）に基づいて、所定のリンク先に設定するＵＲＬを変更するようにすることが可能となる（リンク先設定ステップ）。例えば、ＩＤ「２２２２」のユーザが、０：００〜９：００の時間帯に「お問合せ」ボタン８０１をクリックした場合は、ＵＲＬが「http://www.●●●.jp」であるホームページを表示させ、９：００〜１７：３０の時間帯に「お問合せ」ボタン８０１をクリックした場合は、ＵＲＬが「http://www.▲▲▲.jp」であるホームページを表示させ、１７：３０〜２４：００の時間帯に「お問合せ」ボタン８０１をクリックした場合は、ＵＲＬが「http://www.■■■.jp」であるホームページを表示させる。
【００２８】
上述のＳ１０１〜Ｓ１０３までの各ステップにおける処理は、メモリ１０６に格納されているアクセス管理プログラムをＣＰＵ１０５に実行させることにより実現されるものである。
【００２９】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００３０】
本実施の形態では、アクセス管理装置をＬＡＮ内に配置されたローカルサーバにより実現しているが、これに限られるものではなく、例えばセンタサーバ３や、それぞれのネットワーク端末（ＭＦＰ２０１やＰＣ２０２など）自体に同様の機能を持たせることによって実現することも可能であることは言うまでもない。
【００３１】
また、本実施の形態では、所定のリンク先が「お問合せ先」である例を示したが、これに限られるものではなく、上述のようにしてユーザの識別情報とリンク先との関係を予め設定可能であれば、どのようなリンク先であってもよい。
【００３２】
なお、本実施の形態では、ユーザが所定のリンク先へとアクセスするためのＷＥＢ操作画面が、ＭＦＰ２０１やＰＣ２０２等における不図示の表示部に表示される例を示しているが、これに限られるものではなく、アクセス管理装置１に備えられた不図示の表示部にて表示するようにしてもよい。
【００３３】
本発明を特定の態様により詳細に説明したが、本発明の精神および範囲を逸脱しないかぎり、様々な変更および改質がなされ得ることは、当業者には自明であろう。
【図面の簡単な説明】
【００３４】
【図１】本実施の形態によるアクセス管理装置について説明するためのシステム構成図である。
【図２】本実施の形態によるアクセス管理装置について説明するための機能ブロック図である。
【図３】本実施の形態によるアクセス管理装置における処理の流れについて説明するためのフローチャートである。
【図４】ＷＥＢ操作画面上における所定のリンク先へのアクセスについて説明するための図である。
【図５】ユーザの識別情報とＵＲＬとを対応付けるテーブルの例を示す図である。
【符号の説明】
【００３５】
１０１  識別情報取得部、１０２  リンク情報取得部、１０３  リンク先設定部、１０４  設定確認部、１０５  ＣＰＵ、１０６  メモリ。
【図１】
2006293685.tif 000003
【図２】
2006293685.tif 000004
【図３】
2006293685.tif 000005
【図４】
2006293685.tif 000006
【図５】
2006293685.tif 000007